(57)【要約】【課題】スマートフォンの本体背面よりも盛り上がった状態で搭載されたカメラを保護することができるスマートフォンケースを提供する。【解決手段】カメラを搭載したスマートフォンにおいて、カメラの一部がスマートフォンＳの本体Ｂより盛り上がった状態で搭載されている種類のスマートフォン用のスマートフォンケース１００であって、スマートフォンケース１００の側部１０に、スマートフォンの本体をカバーする厚さＨ１を有する第１側部部分１１と、カメラの盛上り部分をカバーする厚さＨ２を有する第２側部部分１２を形成した。【選択図】図１
0003234597.tif 000002
【実用新案登録請求の範囲】
【請求項１】
カメラを搭載したスマートフォンにおいて、前記カメラの一部がスマートフォンの本体より盛り上がった状態で搭載されている種類のスマートフォン用のスマートフォンケースであって、
前記スマートフォンケースの側部に、前記スマートフォンの本体の厚さをカバーする厚さを有する第１側部部分と、前記スマートフォンの前記本体及び前記カメラの盛上り部分の厚さをカバーする厚さを有する第２側部部分と、を形成したことを特徴とするスマートフォンケース。
【請求項２】
前記第２側部部分を、前記側部の上部全体に形成したことを特徴とする請求項１記載のスマートフォンケース。
【請求項３】
前記第２側部部分を、前記側部の前記カメラの前記盛上り部分と対応する部分にのみ形成したことを特徴とする請求項２記載のスマートフォンケース。
【請求項４】
前記第１側部部分の厚さと前記第２側部部分の厚さをなだらかに変化させたことを特徴とする請求項１〜３のいずれかに記載のスマートフォンケース。
【請求項５】
前記第２側部部分が、前記カメラのレンズ部分をカバーする厚さを有することを特徴とする請求項１〜４のいずれかに記載のスマートフォンケース。
【請求項６】
前記第２側部部分は、内周側に傾斜した面取り斜面を有し、
前記第２側部部分の前記盛上り部分に隣接する部分における前記面取り斜面の面取り量を、前記盛上り部分に隣接していない部分における前記面取り斜面の面取り量よりも少なくしたことを特徴とする請求項１〜５のいずれかに記載のスマートフォンケース。
【考案の詳細な説明】
【技術分野】
【０００１】
本考案は、スマートフォンケースに係り、より詳細には、カメラの一部がスマートフォンの本体より盛り上がった状態で搭載されている種類のスマートフォン用のスマートフォンケースに関する。
【背景技術】
【０００２】
従来、スマートフォンを保護するために、スマートフォンに装着するスマートフォンケースが広く使用されている。スマートフォンケースは、装着されるスマートフォンの寸法形状、例えば、搭載カメラの位置や寸法に合わせて設計されている。そのようなスマートフォンケースの一例が特許文献１に記載されている。
【０００３】
特許文献１に記載のスマートフォンケース（携帯端末用ケース）は、第１のスマートフォンに搭載されたカメラレンズを外部に露出させる第１カメラ孔を有するケース部と、第１カメラ孔の一部分を塞ぐとともに、第２のスマートフォンに搭載されたカメラレンズを外部に露出させる第２カメラ孔を有するアタッチメントとを備え、これにより、カメラレンズの位置や寸法が互いに異なる第１のスマートフォンと第２のスマートフォンの両方に使用できるものとなっている。
【先行技術文献】
【特許文献】
【０００４】
【特許文献１】実用新案登録第３２２６０４７号
【考案の概要】
【考案が解決しようとする課題】
【０００５】
ところで、近年、スマートフォンに搭載されるカメラの高性能化に伴い、カメラのサイズが大きくなり、カメラの一部、特にレンズ部分の高さが高くなる傾向がある。その結果、カメラの一部分がスマートフォンの本体背面より盛り上がったスマートフォンが市販されるようになってきている。
【０００６】
スマートフォンケースには、スマートフォンケースを装着したままカメラ撮影ができるように、カメラに対応する部分に開口部が設けられていることから、スマートフォンケースを装着していても、多くの場合、カメラは外部に露出した状態となっている。その結果、カメラの一部が本体よりも盛り上がったスマートフォンにスマートフォンケースを装着しても、カメラ、特にそのレンズ部分の先端がスマートフォンケースから突出した状態となり得る。
【０００７】
かかる状態でスマートフォンを、スマートフォンの背面側（カメラが搭載された側）を下にしてテーブル等の物体上に載置すると、スマートフォンケースを装着していても、搭載カメラが載置面と接触し、その結果、カメラ（特にレンズ部分）が損傷してしまうおそれがある。
【０００８】
本考案は、上述の事情にかんがみてなされたものであり、スマートフォンの本体よりも盛り上がった状態で搭載されたカメラを保護することができるスマートフォンケースを提供することを目的としている。
【課題を解決するための手段】
【０００９】
上記の目的を達成するために、本考案のスマートフォンケースは、カメラを搭載したスマートフォンにおいて、前記カメラの一部がスマートフォンの本体より盛り上がった状態で搭載されている種類のスマートフォン用のスマートフォンケースであって、前記スマートフォンケースの側部に、前記スマートフォンの本体をカバーする厚さを有する第１側部部分と、前記スマートフォンの前記本体及び前記カメラの盛上り部分をカバーする厚さを有する第２側部部分を形成したことを特徴としている。
【００１０】
本考案のスマートフォンケースによれば、スマートフォンケースの側部に、スマートフォンの本体及びカメラの盛上り部分をカバーする厚さを有する第２側部部分を形成したことによって、スマートフォンの本体よりも盛り上がった状態で搭載されたカメラを保護することができる。例えば、スマートフォンに本考案のスマートフォンケースを装着して、カメラ側を下にしてテーブル等の物体上に載置した場合であっても、第２側部部分によってカメラの盛上り部分と載置面との接触が回避される。これにより、カメラの盛上り部分と載置面との接触によるカメラの損傷を防止できる。
【考案の効果】
【００１１】
本考案によれば、スマートフォンの本体よりも盛り上がった状態で搭載されたカメラを保護することができるスマートフォンケースを提供することができる。
【図面の簡単な説明】
【００１２】
【図１】本考案の第１実施形態によるスマートフォンケースと、そのスマートフォンケースを装着するスマートフォンの斜視図である。
【図２】（Ａ）は、スマートフォンに装着したスマートフォンケースの斜視図であり、（Ｂ）は、（Ａ）に示したスマートフォンケースの側面図である。
【図３】スマートフォンに装着した本考案の第２実施形態によるスマートフォンケースの斜視図である。
【考案を実施するための形態】
【００１３】
以下、図面を参照して本考案の実施形態を説明する。
（第１実施形態）
まず、図１及び図２を参照して、本考案の第１実施形態について説明する。
図１に、本実施形態のスマートフォンケースと、そのスマートフォンケースを装着するスマートフォンの背面側から見た斜視図を示し、図２（Ａ）に、スマートフォンに装着したスマートフォンケースの背面側から見た斜視図を示し、図２（Ｂ）に、スマートフォンに装着したスマートフォンケースの側面図を示す。
【００１４】
本実施形態のスマートフォンケース１００は、カメラを搭載したスマートフォン用のケースであって、特に、搭載してあるカメラの一部がスマートフォンの本体より盛り上がった状態で搭載されている種類のスマートフォン用のケースである。
図１に示すスマートフォンＳでは、スマートフォンＳの背面のカメラの一部の盛上り部分である隅丸正方形のマウント部Ｍが、スマートフォンの本体Ｂから一段盛り上がっている。さらに、マウント部Ｍに三つのレンズ部分Ｒが突設されている。
また、スマートフォンＳでは、カメラのマウント部Ｍ及びレンズ部分Ｒを含む盛上り部分が、本体Ｂの背面側から見て左上に偏位して配置されている。より詳細には、盛上り部分は、スマートフォンＳの本体の背面の上側約１／３、左側約１／２の範囲を占めるように偏位して配置されている。
【００１５】
図１に示すように、スマートフォンケース１００は、スマートフォンＳの外縁の全周に装着されるように形成した側部１０と、側部１０の内側に配置された背面板２０とを備えている。背面板２０には、スマートフォンのカメラのマウント部Ｍに対応する位置に、カメラ用開口部２０ａが形成されている。
そして、図２（Ａ）に示すように、カメラのマウント部Ｍがカメラ用開口部２０ａに挿入され、スマートフォンの本体背面に背面板２０が取着した状態で、側部１０をスマートフォンの外縁の全周に外嵌固定することによって、スマートフォンケース１００がスマートフォンＳに装着される。
【００１６】
図２（Ｂ）示すように、スマートフォンケース１００の側部１０は、スマートフォンの本体をカバーする厚さＨ１を有する第１側部部分１１と、スマートフォンの本体及びカメラの盛上り部分をカバーする厚さＨ２を有する第２側部部分１２とを有している。本実施形態では、第２側部部分１２は、背面側の縁を高くして、本体の厚さに加えて、盛上り部分の厚さとして、カメラのマウント部Ｍ及びレンズ部分Ｒの両方を合わせた高さをカバーする厚さＨ２を有している。
【００１７】
このように、スマートフォンケース１００の側部１０の一部分に、厚さＨ２の第２側部部分１２を形成したことによって、スマートフォンの本体よりも盛り上がった状態で搭載されたカメラを保護することができる。これにより、例えば、スマートフォンケース１００を装着したスマートフォンＳを、カメラ側を下にしてテーブル等の物体上に載置した場合に、第２側部部分１２によってカメラの盛上り部分Ｍ及びレンズ部分Ｒと載置面との接触が回避される。すなわち、レンズ部分Ｒと載置面との間に隙間が確保される。これにより、カメラの盛上り部分Ｍ及びレンズ部分Ｒと載置面と接触によるカメラの損傷を防止できる。
【００１８】
また、本実施形態では、第２側部部分１２は、装着するスマートフォンの長手方向のカメラが偏位して配置された方向を上側として、長手方向の上側から約１／３の範囲で、側部１０の上部全体に形成されている。すなわち、第２側部分１２は、スマートフォンの長手方向に沿った軸線に対して左右対称となるように配置されている。
これにより、第２側部部分１２によって、カメラの盛上り部分が保護されると共に、スマートフォンの長手方向の中央付近の手で握りやすい領域は、第１側部部分１１となっている。このため、第２側部部分１２を第１側部部分１１よりも厚くしても、スマートフォンケース１００を装着したスマートフォンを、従来のものと同様に違和感や不快感なく手で握って保持することができる。
【００１９】
そのうえ、第１側部部分１１と第２側部部分１２との間で、側部１０の厚さを第１側部部分１１の厚さＨ１から第２側部部分１２の厚さＨ２へなだらかに変化させている。このように、第１側部部分１１の厚さＨ１を従来のスマートフォンケースのものと同様の厚さに維持しつつ、側部１０の厚さを、第１側部部分１１の厚さＨ１から上部へ行くほど徐々に滑らかに厚くなるようにして、第２側部部分１２の厚さＨ２へ移行させることにより、スマートフォンケース１００を装着したスマートフォンを、より違和感や不快感なく手で握って保持することができる。
【００２０】
さらに、図１及び図２（Ａ）に示すように、側部１０の第１側部部分１１及び第２側部部分１２は、その背面側（装着するスマートフォンのカメラが向いている側）の縁に、内周側に傾斜した面取り斜面１１ａ、１２ａ及び１２ｂが形成されている。そして、第２側部部分１２のうち、マウント部Ｍを含む盛上り部分に隣接する部分１２ｃの面取り斜面１２ｂの面取り量を、盛上り部分に隣接していない部分の面取り斜面１２ａの面取り量よりも少なくしている。
これにより、面取り斜面１２ｂの面取り量を少なくした分だけ、第２側部部分１２の背面側の縁を、カメラのレンズ部分Ｒにより近い位置に配置できる。その結果、カメラのレンズ部分Ｒをより効果的に保護できるとともに、手指のレンズ部分Ｒへの接触を効果的に防止できる。
【００２１】
（第２実施形態）
次に、図３を参照して、本考案の第２実施形態について説明する。
図３は、本実施形態によるスマートフォンケースをスマートフォンＳに装着した状態で背面側から見た斜視図である。本実施形態のスマートフォンケース１００ａは、側部１０ａのうち第２側部部分１２０の形成位置が第１実施形態のものと異なっている。
なお、第１実施形態で説明したスマートフォンケースと同一の構成部分については同一の符号を付してその詳細な説明を省略する。
【００２２】
本実施形態のスマートフォンケース１００ａの側部１０ａにも、スマートフォンＳの本体Ｂをカバーする厚さＨ１を有する第１側部部分１１０と、スマートフォンＳの本体Ｂの厚さに加えて、カメラの盛上り部分のカメラのマウント部Ｍ及びレンズ部分Ｒの両方を合わせた厚さをカバーする厚さＨ２を有する第２側部部分１２０が形成されている。
【００２３】
ただし、本実施形態では、第２側部部分１２０は、側部１０ａのうちカメラの盛上り部分と対応する部分１０ｃ、すなわち、盛上り部分に隣接する部分にのみ形成されている。図３に示す例では、スマートフォンケース１００ａのカメラ開口部２０ａに隣接する領域に、背面側の縁を高くした第２側部部分１２０が形成されている。すなわち、スマートフォンＳのカメラのマウント部Ｍ及びレンズ部分Ｒを含む盛上り部分が、スマートフォンの背面側から見て左上に偏位して配置されているため、第２側部部分１２０も、スマートフォンＳの盛上り部分の配置に対応するように、スマートフォンケース１００ａの上側約１／３、左側約１／２の範囲を左上のコーナーにのみ形成されている。したがって、スマートフォンケース１００ａの側部１０ａのうち、スマートフォンケース１００ａの右上のコーナーは、カメラの盛上り部分に対応していないので、第２側部部分１２０より厚さが薄い第１側部部分１１０となっている。
このように、カメラの盛上り部分と対応する部分にのみより厚い第２側部部分１２０を設け、第２側部部分１２０の範囲を第１実施形態よりも狭くしたことにより、カメラのマウント部Ｍ及びレンズ部分Ｒを保護するとともに、より違和感や不快感なく手で握って保持することができる。
【００２４】
以上、本考案の実施形態を説明したが、本考案は、上述した実施形態に限定されるものではなく、本考案の範囲で種々の変更実施が可能である。上述した実施形態では、スマートフォンの外縁の全周を覆う側部を備えたスマートフォンケースの例を説明したが、本考案では、側部をスマートフォンの外縁の一部分だけを覆うように形成してもよい。
【符号の説明】
【００２５】
１０  側部
１０ｃ  盛上り部分に対応する部分
１１、１１０  第１側部部分
１１ａ  面取り斜面
１２、１２０  第２側部部分
１２ａ、１２ｂ  面取り斜面
１２ｃ  盛上り部分に隣接する部分
２０  背面板
２０ａ  カメラ用開口部
１００、１００ａ  スマートフォンケース
Ｂ  スマートフォンの本体
Ｍ  スマートフォンのマウント部
Ｒ  スマートフォンのレンズ部分
Ｓ  スマートフォン
【図１】
0003234597.tif 000003
【図２】
0003234597.tif 000004
【図３】
0003234597.tif 000005